(57)【要約】      （修正有）【課題】牡蠣の幼生の付着率を高めることが可能でかつ使用後の処分を簡単に行える牡蠣養殖用付着器を提供する。【解決手段】牡蠣養殖用付着器４は、貝殻の粉末と樹脂により形成した平板状の盤体であり、その中央部に平面側から背面側に至る孔部５が設けてある。牡蠣養殖用付着器４はいずれも円盤状であるが、方形の盤体、その他任意の形状の盤体に形成できる。さらに、平面側には複数の突起部６を設ける。また、牡蠣養殖用付着器４は、平板状あるいは中央部が両側あるいは片側に膨出した形状を有する。係る形状ゆえに海水の通りがよく牡蠣の幼生を両側にまんべんなく付着させることが可能となる。更には、表面に細かな凹凸が多数設けられていることが、付着をより良くすることが可能となる。【選択図】図２
0003182951.tif 000002
【実用新案登録請求の範囲】
【請求項１】
貝殻の粉末と樹脂により形成した平板状であり、中央部に孔部（５）を有する牡蠣養殖用付着器。
【請求項２】
中央部が両側あるいは片側に膨出した形状の請求項１記載の牡蠣養殖用付着器。
【請求項３】
表面に細かな凹凸（８）を設けた請求項１又は請求項２に記載の牡蠣養殖用付着器。
【請求項４】
牡蠣の貝殻粉末を使用した請求項１乃至請求項３いずれかに記載の牡蠣養殖用付着器。
【請求項５】
生分解性樹脂を利用した請求項１乃至請求項４いずれかに記載の牡蠣養殖用付着器。
【請求項６】
生分解性樹脂を２０％以上５０％以下の割合で含む請求項５記載の牡蠣養殖用付着器。
【請求項７】
平面部に突起部（６）を複数設けた請求項１乃至請求項６いずれかに記載の牡蠣養殖用付着器。
【請求項８】
貝殻に代え炭酸カルシウムを使用した請求項１乃至請求項７いずれかに記載の牡蠣養殖用付着器。
【請求項９】
酸化鉄を含有する請求項１乃至請求項８いずれかに記載の牡蠣養殖用付着器。
【考案の詳細な説明】
【技術分野】
【０００１】
本考案は牡蠣の養殖に用いられる付着器に関し、より詳しくは牡蠣の幼生を付着させ生
育させるために用いられる付着器に関する。
【背景技術】
【０００２】
夏、卵からかえった牡蠣の幼生は、約２週間、浮遊生活を送り、その後、海水中の固着
物に付着する。この時期に、帆立貝の貝殻にワイヤーを通して一定間隔で取り付けた採苗
連を海中に入れておき、牡蠣幼生（約０．３ミリメートル）を付着させる。この作業を採
苗という。この際、図６に示すように、貝殻１同士の間隔を一定に保つため、樹脂製のパ
イプをスペーサ２ａとして貝殻一枚ごとにワイヤー３ａに通す作業が行われる。なお、図
６においては可視的にするため、スペーサ２ａと貝殻１との間に距離を設けてあるが、実
際には貝殻１・・とスペーサ２ａ・・とは密着するものである。
【０００３】
一つの採苗連には貝殻７０枚前後が取り付けられており、上下の長さは１メートル程度
になる。
【０００４】
採苗した牡蠣の幼生は、採苗連のまま沿岸の棚（抑制棚）に移動させる。抑制棚は、干
潮の時より高い位置にあるため、採苗連は水中につかっている時間が少なくなるととも
に、日光や風波にさらされることになる。係る工程は、牡蠣を大きくしないため（大きく
なりすぎると翌年の夏の産卵後に死ぬことが多い）と、環境の変化に強い抵抗力を付けさ
せるために行われる。抑制棚に吊るされている期間は３〜６ヶ月程度である。
【０００５】
次いで、図７に示すように採苗連からホタテ貝の貝殻１をはずして、新しいワイヤー３
ｂに１枚ずつ移し替えて垂下連を作成する。このことを通し替え作業という。一本のワイ
ヤー３ｂに、６〜９枚程度の牡蠣の稚貝が付着した貝殻１を、３０センチ程度の間隔を開
けて通す。係る間隔を維持するために、樹脂製のパイプをスペーサ２ｂとして貝殻一枚ご
とに、ワイヤー３ｂに通す作業が行われる。なお、図７においては可視的にするため、ス
ペーサ２ｂと貝殻１との間に距離を設けてあるが、実際には貝殻１・・とスペーサ２ｂ・・とは密着するものである。
【０００６】
かようにして作成された垂下連は、筏に吊し、１つの筏に約６００本が吊される。１本
の垂下連の長さは、筏の海底までの距離により異なる。
【０００７】
かようにして垂下してから収穫するまでの期間は、短い期間の養殖方法（イキス養殖）
でも１２〜１３ヶ月を要する。その間、牡蠣が死なないように、また、有害な生物が付着
しないようにし、そして身が良く入るように様々な工夫がなされる。
【０００８】
上述のように、牡蠣を付着させるための付着器として一般的に貝殻が利用される。
【０００９】
そして、貝殻に代わる牡蠣養殖用付着器として、円板トレーの上面に凹凸を付け、更に
積み重ねた円板トレーの回りにメッシュカーテンを施したもの（特開昭４９−１３１８９
２）や、円板トレー表面にカルシウムを付着させたもの（特開昭５０−１４２３９３）が
提案されている。
【先行技術文献】
【特許文献】
【００１０】
【特許文献１】特開昭４９−１３１８９２号公報
【特許文献２】特開昭５０−１４２３９３号公報
【考案の概要】
【考案が解決しようとする課題】
【００１１】
従来の帆立貝の貝殻を利用した牡蠣養殖用付着器には、牡蠣の幼生の付着率が低いという問題点があった。帆立貝の貝殻は凹部を有するため、当該凹部において海水の流れが悪くなっていたからである。
【００１２】
更には、養殖終了後には大量の貝殻廃棄物が発生するため、その処分を如何に行うかという問題点もあった。
【００１３】
そこで、本考案は牡蠣の幼生の付着率を高めることが可能な牡蠣養殖用付着器を提供すること、更には処分を簡単に行える牡蠣養殖用付着器を提供することを目的とする。
【００１４】
また、前記のように採苗連を作成するためには、貝殻一つ一つに穴を開け、ワイヤーを通し、一枚毎にスペーサを介在させるという作業が必要となる。更には垂下連を作成する際にも、採苗連から貝殻をはずして、新しいワイヤーに１枚ずつスペーサを介在させながら移し替える作業が必要となる。これら作業は手作業で行われており、非常に手間がかかるものである。
【００１５】
そこで、本考案はかかる作業を大幅に簡略化させることが可能な、牡蠣養殖用付着器を
提供することを目的とする。
【課題を解決するための手段】
【００１６】
上記の目的を達成する本考案の構成は次の通りである。
【００１７】
（１）  請求項１に記載の考案は、貝殻の粉末と樹脂により形成した平板状であり、略中央部に孔部を有する牡蠣養殖用付着器である。
【００１８】
（２）  請求項２に記載の考案は、請求項１記載の牡蠣養殖用付着器において、中央部が両側あるいは片側に膨出した形状で構成した。
【００１９】
（３）  請求項３に記載の考案は、請求項１又は請求項２に記載の牡蠣養殖用付着器において、表面に細かな凹凸を設けて構成した。
【００２０】
（４）  請求項４に記載の考案は、請求項１乃至請求項３いずれかに記載の牡蠣養殖用付着器において、牡蠣の貝殻粉末を使用して構成した。
【００２１】
（５）  請求項５に記載の考案は、請求項１乃至請求項４いずれかに記載の牡蠣養殖用付着器において、生分解性樹脂を利用して構成した。
【００２２】
（６）  請求項６に記載の考案は、請求項５記載の牡蠣養殖用付着器において、生分解性樹脂を２０％以上５０％以下の割合で構成した。
【００２３】
（７）  請求項７に記載の考案は、請求項１乃至請求項６いずれかに記載の牡蠣養殖用付着器において、平面部に突起部を複数設けて構成した。
【００２４】
（８）  請求項８に記載の考案は、請求項１乃至請求項７いずれかに記載の牡蠣養殖用付着器において、貝殻に代え炭酸カルシウムを使用して構成した。
【００２５】
（９）  請求項９に記載の考案は、請求項１乃至請求項８いずれかに記載の牡蠣養殖用付着器において、酸化鉄を含有せしめて構成した。
【考案の効果】
【００２６】
本考案に係る牡蠣養殖用付着器は、平板状あるいは中央部が両側あるいは片側に膨出した形状を有するものである。係る形状ゆえに海水の通りがよく牡蠣の幼生を両側にまんべんなく付着させることが可能となる。更には、表面に細かな凹凸が多数設けられていることが、付着をより良くすることが可能となる。
【００２７】
また、牡蠣の貝殻粉末を利用することで、牡蠣の貝殻廃棄物の再利用が可能となる。
【００２８】
更には、生分解性樹脂を利用することで、破砕してそのまま地中に廃棄処分するといった、手軽な処分方法も可能となる。
【００２９】
本考案に係る牡蠣養殖用付着器は、その中央部に予め孔部５が設けてあるので、従来のように一つ一つ穴をあけるといった作業が不要となる。
【００３０】
本考案に係る牡蠣養殖用付着器を採苗連として使用する際には、図５に示すように、この孔部５にワイヤー７等を挿通し、積み重ねて使用するものである。この際、突起部がスペーサとしての役割を果たすので、従来のように一枚ごとにスペーサを手作業で介在させるといった手間が省けるのである。
【００３１】
請求項８に記載の考案では、貝殻に代え炭酸カルシウムを使用して構成してある。炭酸カルシウムという廉価、且つ、安全な素材を使用することで製造の容易さを高めることが可能となる。
【００３２】
また、実験の結果、酸化鉄を含有せしめると、幼生の付着率が高まることが判明した。
【００３３】
本考案に係る牡蠣養殖用付着器を使用した場合、従来のホタテ貝殻を使用した場合よりも約１．５倍幼生が付着することが実験で判明した。また、従来は採苗が難しいとされていた岩牡蠣の付着にも成功した。
【図面の簡単な説明】
【００３４】
【図１】本考案の斜視図。
【図２】本考案の正面図。
【図３】請求項２記載の考案の正面図。
【図４】請求項２記載の考案の正面図。
【図５】本考案を垂下連として実施した状態を示す説明図。
【図６】従来例の実施状態を示す説明図。
【図７】従来例の実施状態を示す説明図。
【考案を実施するための形態】
【００３５】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００３６】
請求項１記載の考案に係る牡蠣養殖用付着器４は、図１、図２に示されるように平板状の盤体であり、その中央部に平面側から背面側に至る孔部５が設けてある。図示された牡蠣養殖用付着器４はいずれも円盤状であるが、むろん係る限定を受けるものではなく、方形の盤体、その他任意の形状の盤体に形成できる。また、平面側には複数の突起部６が設けてある。
【００３７】
図３、図４は請求項２記載の考案を示すものである。中央部の両側（図３）、片側（図４）を膨出させて形成してある。また、その中央部に平面側から背面側に至る孔部５が設けてある。また、平面側には複数の突起部６が設けてある。
【００３８】
請求項３記載の考案における牡蠣養殖用付着器４は、図２に示すように表面に細かた凹凸８が設けてある。図中凹凸は凸条を放射状に設けて形成してあるが、むろん係る限定を受けるものではなく、例えば細かな穴を多数設けるといった方法、その他表面に細かな凹凸を形成可能であれば、任意の方法を採用できる。
【００３９】
牡蠣養殖用付着器４の材質は、貝殻の粉末と樹脂より成るものである。貝殻の粉末としてはホタテ貝殻その他を利用可能であるが、牡蠣の貝殻粉末を使用すれば、生産過程で生じる牡蠣殻の再利用につながり好ましいものである。また、貝殻の粉末に代えて、炭酸カルシウムを利用することも可能である。
【００４０】
樹脂としては、ポリプロピレンその他の熱可塑性樹脂を利用可能である。また、生分解性樹脂も利用可能である。生分解性樹脂としてはポリ乳酸、ポリカプロラクトン、ポリヒドロキシアルカノエート、ポリグリコール酸、変性ポリビニルアルコール、カゼイン、変性澱粉、ＰＥＴ共重合体等が利用可能である。
【００４１】
請求項６記載の考案では、生分解性樹脂を２０％以上５０％以下の割合で構成した。２０％未満にすると強度が足りず、５０％で十分な強度が得られるからである。
【００４２】
貝殻の粉末と樹脂以外にも酸化鉄を混入して成形すれば、プランクトンの付着率が向上し、その結果牡蠣幼生の付着率が高まるものである。
【００４３】
本考案の成形方法は汎用される樹脂成型方法が利用可能である。つまり、「材料を溶融する、ついで型にはめる、そして冷却固化する。」という物理的変化を利用して行われる成形方法を利用可能である。
【符号の説明】
【００４４】
４・・牡蠣養殖用付着器
５・・孔部
６・・突起部
７・・ワイヤー
８・・凹凸
【図１】
0003182951.tif 000003
【図２】
0003182951.tif 000004
【図３】
0003182951.tif 000005
【図４】
0003182951.tif 000006
【図５】
0003182951.tif 000007
【図６】
0003182951.tif 000008
【図７】
0003182951.tif 000009